(57)【要約】【課題】水平方向と垂直方向との長さが異なる画素によって構成される表示画面に表示される映像の真円率を改善することができる真円率改善装置を提供する。【解決手段】サンプリングクロック信号ＣＰＨのパルスに同期して映像信号をサンプリングする表示装置の表示画面に表示される映像の真円率を改善する真円率改善装置において、映像信号が有効な映像を表す有効映像期間４０におけるサンプリングクロック信号ＣＰＨのパルスの数を、表示画面を構成する画素の水平方向の長さと垂直方向の長さとの比に応じて調整する。【選択図】図４
2007148082.tif 000002
【特許請求の範囲】
【請求項１】
サンプリングクロック信号のパルスに同期して映像信号をサンプリングする表示装置の表示画面に表示される映像の真円率を改善する真円率改善装置において、
前記映像信号が有効な映像を表す有効映像期間における前記サンプリングクロック信号のパルスの数を、前記表示画面を構成する画素の水平方向の長さと垂直方向の長さとの比に応じて調整するサンプリングクロック調整手段を備えたことを特徴とする真円率改善装置。
【請求項２】
前記サンプリングクロック調整手段は、前記有効映像期間における前記サンプリングクロック信号の調整後のパルスの数が、前記画素の垂直方向の長さを前記画素の水平方向の長さで除算した値と、前記有効映像期間における前記サンプリングクロック信号の調整前のパルスの数とを乗算した値になるよう調整することを特徴とする請求項１に記載の真円率改善装置。
【請求項３】
前記サンプリングクロック調整手段は、前記有効映像期間に前記サンプリングクロック信号の位相を変動させることによって、前記サンプリングクロック信号のパルスの数を調整することを特徴とする請求項１または請求項２に記載の真円率改善装置。
【請求項４】
前記サンプリングクロック調整手段は、前記映像信号が無効な映像を表す無効映像期間で前記有効映像期間に調整したパルスの数を相殺するよう、前記無効映像期間における前記サンプリングクロック信号のパルスの数を調整することを特徴とする請求項１乃至請求項３の何れかに記載の真円率改善装置。
【請求項５】
前記サンプリングクロック調整手段によって前記無効映像期間に調整されるパルスの数に応じて水平走査開始信号の位相を調整する水平走査開始信号調整手段を備えたことを特徴とする請求項４に記載の真円率改善装置。
【発明の詳細な説明】
【技術分野】
【０００１】
本発明は、表示装置の表示画面に表示される映像の真円率を改善する真円率改善装置に関する。
【背景技術】
【０００２】
従来の真円率改善装置としては、外部から与えられた映像信号の規格を解読し映像表示の最適化に必要な調整情報を生成するコントローラと、この調整情報に応じてタイミング信号を生成して映像信号の規格に合わせて最適に調整された映像を表示装置の表示画面に表示させるタイミングジェネレータとを備え、多種多様な規格の映像信号に対応して表示画面に表示させる映像の真円率を改善するものがある（例えば、特許文献１参照）。
【特許文献１】特開平８−２３４７０１号公報
【発明の開示】
【発明が解決しようとする課題】
【０００３】
しかしながら、従来の真円率改善装置は、多種多様な規格の映像信号に対応することができるものの、水平方向と垂直方向との長さが異なる画素によって構成される表示画面に表示される映像の真円率を改善することができないといった問題があった。
【０００４】
本発明は、従来の問題を解決するためになされたもので、水平方向と垂直方向との長さが異なる画素によって構成される表示画面に表示される映像の真円率を改善することができる真円率改善装置を提供することを目的とする。
【課題を解決するための手段】
【０００５】
本発明の真円率改善装置は、サンプリングクロック信号のパルスに同期して映像信号をサンプリングする表示装置の表示画面に表示される映像の真円率を改善する真円率改善装置において、前記映像信号が有効な映像を表す有効映像期間における前記サンプリングクロック信号のパルスの数を、前記表示画面を構成する画素の水平方向の長さと垂直方向の長さとの比に応じて調整するサンプリングクロック調整手段を備えた構成を有している。
【０００６】
具体的には、前記サンプリングクロック調整手段は、前記有効映像期間における前記サンプリングクロック信号の調整後のパルスの数が、前記画素の垂直方向の長さ（ｙ）を前記画素の水平方向の長さ（ｘ）で除算した値（ｙ／ｘ）と、前記有効映像期間における前記サンプリングクロック信号の調整前のパルスの数（Ｗ）とを乗算した値（Ｗ＊ｙ／ｘ）になるよう調整する。
【０００７】
この構成により、本発明の真円率改善装置は、画素の水平方向の長さと垂直方向の長さとの比に応じて有効映像期間におけるサンプリングクロック信号のパルスの数を調整するため、水平方向と垂直方向との長さが異なる画素によって構成される表示画面に表示される映像の真円率を改善することができる。
【０００８】
なお、前記サンプリングクロック調整手段は、前記有効映像期間に前記サンプリングクロック信号の位相を変動させることによって、前記サンプリングクロック信号のパルスの数を調整するようにしてもよい。
【０００９】
この構成により、本発明の真円率改善装置は、有効映像期間におけるサンプリングクロック信号のパルスの数を調整することができる。
【００１０】
また、前記サンプリングクロック調整手段は、前記映像信号が無効な映像を表す無効映像期間で前記有効映像期間に調整したパルスの数を相殺するよう、前記無効映像期間における前記サンプリングクロック信号のパルスの数を調整するようにしてもよい。
【００１１】
この構成により、本発明の真円率改善装置は、有効映像期間に調整したサンプリングクロック信号のパルスの数を無効映像期間で相殺するため、１走査毎に表示装置と同期がずれていくことを防止することができる。
【００１２】
また、本発明の真円率改善装置は、前記サンプリングクロック調整手段によって前記無効映像期間に調整されるパルスの数に応じて水平走査開始信号の位相を調整する水平走査開始信号調整手段を備えるようにしてもよい。
【００１３】
この構成により、本発明の真円率改善装置は、無効映像期間でサンプリングクロック信号のパルスの数を増加させる際に無効映像期間が短すぎる場合には、無効映像期間を長くとることができる。
【発明の効果】
【００１４】
本発明は、水平方向と垂直方向との長さが異なる画素によって構成される表示画面に表示される映像の真円率を改善することができる真円率改善装置を提供することができる。
【発明を実施するための最良の形態】
【００１５】
以下、本発明の実施の形態について、図面を参照して説明する。なお、本実施の形態においては、表示装置を制御する表示制御装置に本発明における真円率改善装置を適用した例について説明する。
【００１６】
本発明の一実施の形態の表示制御装置を図１に示す。
【００１７】
図１において、表示制御装置１は、映像信号から分離された水平同期信号Ｈに同期したマスタークロック信号を発生するＰＬＬ（Phase Locked Loop）回路２を備えている。ＰＬＬ回路２は、入力電圧に応じた出力周波数のマスタークロック信号ＣＫを発生するＶＣＯ（Voltage Controlled Oscillator）１０と、マスタークロック信号ＣＫを分周する分周器１１と、水平同期信号Ｈとマスタークロック信号ＣＫとの位相を比較する位相比較器１２と、ＶＣＯ１０の入力電圧となる位相比較器１２の比較結果を平滑化するＬＰＦ（Low Pass Filter）１３とを有している。
【００１８】
また、表示制御装置１は、分周器１１によって分周されたマスタークロック信号に基づいて水平走査開始信号ＳＴＨの出力タイミングを計る水平同期カウンタ１４と、水平同期カウンタ１４によって計られたタイミングで水平走査開始信号ＳＴＨを表示装置３に出力する水平走査開始信号出力回路１５と、水平同期カウンタ１４によって計られたタイミングおよび映像信号から分離された垂直同期信号Ｖに基づいて垂直走査開始信号ＳＴＶの出力タイミングを計る垂直同期カウンタ１６と、垂直同期カウンタ１６によって計られたタイミングで垂直走査開始信号ＳＴＶを表示装置３に出力する垂直走査開始信号出力回路１７と、表示装置３の表示画面に表示される映像の真円率を改善する真円率改善回路１８とを備えている。
【００１９】
ここで、表示装置３は、図２に示すように、水平方向にＸ個および垂直方向にＹ個の画素２１によって構成される表示画面２０を有しているものとする。以下の説明では、Ｘを水平画素数といい、Ｙを垂直画素数という。また、各画素２１の水平方向の長さ（以下、単に「水平画素長」という。）をｘとし、垂直方向の長さ（以下、単に「垂直画素長」という。）をｙとする。
【００２０】
表示装置３は、垂直走査開始信号ＳＴＶに応じて、表示画面２０に表示されている映像の更新を開始し、水平走査開始信号ＳＴＨに応じて、表示画面２０に表示されている１走査分の映像の更新を開始し、サンプリングクロック信号ＣＰＨの１パルス毎に映像信号をサンプリングして、サンプリングした各画素データを各画素２１に表示させ、サンプリングクロック信号ＣＰＨのパルスの数がＸ個に達したときに、１走査分の映像の更新を完了する。
【００２１】
真円率改善回路１８には、マスタークロック信号ＣＫと、表示画面情報と、分周器１１によって出力される分周情報とが入力される。
【００２２】
ここで、表示画面情報には、表示装置３の水平画素長ｘおよび垂直画素長ｙを表す情報を含んでいる。この表示画面情報は、図示しないキーボード装置等の入力装置を介して入力されたものでもよく、図示しない不揮発性の記憶媒体に記憶されたものでもよく、表示装置３から得られるものでもよい。
【００２３】
また、分周情報は、真円率改善回路１８に出力させるサンプリングクロック信号ＣＰＨの基本周期をマスタークロック信号ＣＫの周期で除算した分周値Ｚを表す。
【００２４】
真円率改善回路１８は、サンプリングクロック信号ＣＰＨを調整するサンプリングクロック調整手段を構成し、図３に示すように、映像信号が有効な映像を表す有効映像期間におけるサンプリングクロック信号ＣＰＨのパルスの数を算出するパルス数算出部３０と、サンプリングクロック信号ＣＰＨを生成するクロック信号生成部３１とを有している。
【００２５】
パルス数算出部３０は、表示画面２０に表示される映像の真円率を改善する前の有効映像期間におけるサンプリングクロック信号ＣＰＨのパルスの数（以下、単に「改善前パルス数」という。）をＷとした場合に、表示画面２０に表示される映像の真円率を改善するための有効映像期間におけるサンプリングクロック信号ＣＰＨのパルスの数（以下、単に「改善パルス数」という。）ＮとしてＷ＊ｙ／ｘを算出するようになっている。
【００２６】
クロック信号生成部３１は、マスタークロック信号ＣＫに同期したサンプリングクロック信号ＣＰＨを生成し、生成したサンプリングクロック信号ＣＰＨを改善パルス数Ｎに基づいて調整するようになっている。
【００２７】
ここで、クロック信号生成部３１によるサンプリングクロック信号ＣＰＨの調整について、図４および図５を用いて詳細に説明する。図４および図５は、マスタークロック信号ＣＫ、水平走査開始信号ＳＴＨ、映像信号、クロック信号生成部３１による調整が行われる前のサンプリングクロック信号ＣＰＨおよびクロック信号生成部３１による調整が行われた後のサンプリングクロック信号ＣＰＨのタイミングチャートを示している。なお、図４および図５では、１走査分のマスタークロック信号ＣＫのパルスの数は、実際のものより少なく、他の信号は、マスタークロック信号ＣＫに合わせて示されている。
【００２８】
図４は、改善パルス数Ｎが改善前パルス数Ｗより大きい場合、すなわち、水平画素長ｘが垂直画素長ｙよりも短いため、表示装置３の表示画面２０に表示される映像を水平方向に太らせる場合のタイミングチャートを示している。
【００２９】
一方、図５は、改善パルス数Ｎが改善前パルス数Ｗより小さい場合、すなわち、水平画素長ｘが垂直画素長ｙよりも長いため、表示装置３の表示画面２０に表示される映像を水平方向に痩せさせる場合のタイミングチャートを示している。
【００３０】
このように、クロック信号生成部３１は、有効映像期間４０におけるサンプリングクロック信号ＣＰＨのパルスの数が改善パルス数Ｎとなるようにサンプリングクロック信号ＣＰＨの位相を調整するようになっている。
【００３１】
なお、クロック信号生成部３１は、サンプリングクロック信号ＣＰＨの位相を調整する箇所を均等に配分することが望ましい。具体的には、クロック信号生成部３１は、有効映像期間４０において、調整周期ＭとしてＮ／（２＊（Ｎ−Ｗ）＊Ｚ）を算出し、算出した調整周期Ｍが正の場合には、Ｍ個毎のサンプリングクロック信号ＣＰＨのパルスをマスタークロックＣＫの半周期分進ませ、算出した調整周期Ｍが負の場合には、（−Ｍ）個毎のサンプリングクロック信号ＣＰＨのパルスをマスタークロックＣＫの半周期分遅らせるように構成する。
【００３２】
また、クロック信号生成部３１は、有効映像期間４０において調整した調整量Ｎ−Ｗを相殺するよう、映像信号が無効な映像を表す無効映像期間４１におけるサンプリングクロック信号ＣＰＨのパルスの数を調整するようになっている。ここで、無効な映像とは、表示装置３の表示画面２０において、水平方向の両側に黒色等の無彩色で表示される映像のことをいう。
【００３３】
クロック信号生成部３１は、図４に示すように、有効映像期間４０においてサンプリングクロック信号ＣＰＨのパルスの数を増加させた場合には、増加させた数だけ無効映像期間４１におけるサンプリングクロック信号ＣＰＨのパルスの数を減少させるようになっている。
【００３４】
同様に、クロック信号生成部３１は、図５に示すように、有効映像期間４０においてサンプリングクロック信号ＣＰＨのパルスの数を減少させた場合には、減少させた数だけ無効映像期間４１におけるサンプリングクロック信号ＣＰＨのパルスの数を増加させるようになっている。
【００３５】
なお、クロック信号生成部３１は、有効映像期間４０の前後の無効映像期間４１で、サンプリングクロック信号ＣＰＨのパルスの数が均等になるように調整することが望ましい。
【００３６】
また、図５に示すように、無効映像期間４１におけるサンプリングクロック信号ＣＰＨのパルスの数を増加させる際に、無効映像期間４１が短すぎる場合には、クロック信号生成部３１は、水平走査開始信号出力回路１５に水平走査開始信号ＳＴＨの位相を早めるように調整させるようにしてもよい。この場合には、真円率改善回路１８は、水平走査開始信号の位相を調整する水平走査開始信号調整手段を構成する。
【００３７】
このように構成された表示制御装置１において、図６（ａ）に示すように、表示装置３の表示画面２０の水平画素長ｘが垂直画素長ｙよりも短いため、表示画面２０に表示されている映像が水平方向に痩せてしまう場合には、真円率改善回路１８がサンプリングクロック信号ＣＰＨのパルスの数が有効映像期間４０において増加するように調整することにより、図６（ｃ）に示すように、表示装置３の表示画面２０に表示されている映像の真円率が改善する。
【００３８】
一方、図６（ｂ）に示すように、表示装置３の表示画面２０の水平画素長ｘが垂直画素長ｙよりも長いため、表示画面２０に表示されている映像が水平方向に太ってしまう場合には、真円率改善回路１８がサンプリングクロック信号ＣＰＨのパルスの数が有効映像期間４０において減少するように調整することにより、図６（ｃ）に示すように、表示装置３の表示画面２０に表示されている映像の真円率が改善する。
【００３９】
このような本発明の一実施の形態の表示制御装置１は、水平画素長ｘと垂直画素長ｙとの比に応じて有効映像期間４０におけるサンプリングクロック信号のパルスの数を調整するため、水平方向と垂直方向との長さが異なる画素によって構成される表示画面２０に表示される映像の真円率を改善することができる。
【産業上の利用可能性】
【００４０】
以上のように、本発明にかかる真円率改善装置は、水平方向と垂直方向との長さが異なる画素によって構成される表示画面に表示される映像の真円率を改善することができるという効果を有し、例えば、表示装置の表示画面に表示される映像の真円率を改善する真円率改善装置等として有用である。
【図面の簡単な説明】
【００４１】
【図１】本発明の一実施の形態における表示制御装置のブロック図
【図２】本発明の一実施の形態における表示制御装置に接続される表示装置の表示画面の例を示す概念図
【図３】本発明の一実施の形態における表示制御装置を構成する真円率改善回路のブロック図
【図４】本発明の一実施の形態における表示制御装置を構成する真円率改善回路を説明するための第１のタイミング図
【図５】本発明の一実施の形態における表示制御装置を構成する真円率改善回路を説明するための第２のタイミング図
【図６】本発明の一実施の形態における表示制御装置を構成する真円率改善回路によって調整されるサンプリングクロック信号と、表示制御装置に接続される表示装置の表示画面に表示される映像との関係を示す概念図
【符号の説明】
【００４２】
１  表示制御装置
２  ＰＬＬ回路
３  表示装置
１０  ＶＣＯ
１１  分周器
１２  位相比較器
１３  ＬＰＦ
１４  水平同期カウンタ
１５  水平走査開始信号出力回路
１６  垂直同期カウンタ
１７  垂直走査開始信号出力回路
１８  真円率改善回路
２０  表示画面
３０  パルス数算出部
３１  クロック信号生成部
４０  有効映像期間
４１  無効映像期間
【図１】
2007148082.tif 000003
【図２】
2007148082.tif 000004
【図３】
2007148082.tif 000005
【図４】
2007148082.tif 000006
【図５】
2007148082.tif 000007
【図６】
2007148082.tif 000008